(57)【要約】      （修正有）【課題】作業者が腕を伸ばさずとも高位から散水可能であり、把持力を維持しなくても任意の散水流量を維持することができる散水ノズル用グリップを提供する。【解決手段】先端部に散水ヘッド部１２を装着可能な内部に流路管１３を備えた本体部１０と、本体部の後端部に設けられ、給水手段からの水の取入れ口を介して流路管に連通して流路を構成する管路を内部に備えた片手持ちグリップ部１１とを備えた散水ノズル用グリップであって、片手持ちグリップ部の本体部側に配された流路を閉塞可能なバルブコック部１６を備え、バルブコック部が、回転位置によって流路に対する閉塞状態と開放状態との間で変位可能な円筒体の一部を切欠いた回転弁体と、回転弁体を片手持ちグリップ部を把持する一方の手の指で任意の回転位置に変位可能なレバー部１８とを備えるように構成する。【選択図】図１
0003228793.tif 000002
【実用新案登録請求の範囲】
【請求項１】
先端部に散水ヘッド部を装着可能な内部に流路管を備えた本体部と、前記本体部の後端部に設けられ、給水手段からの水の取入れ口を介して前記流路管に連通して流路を構成する管路を内部に備えた片手持ちグリップ部とを備えた散水ノズル用グリップであって、
前記片手持ちグリップ部の本体部側に配された前記流路を閉塞可能なバルブコック部を備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変位可能なレバー部とを備えたことを特徴とする散水ノズル用グリップ。
【請求項２】
先端部に散水ヘッド部を装着可能な内部に流路管を備えた本体部と、前記本体部の後端部に設けられ、給水手段からの水の取入れ口を介して前記流路管に連通して流路を構成する管路を内部に備えた片手持ちグリップ部とを備えた散水ノズル用グリップであって、
前記本体部には、前記片手持ちグリップ部を把持する一方の手と共に他方の手で前記本体部を支持可能な把持領域を含む長さを備え、
前記片手持ちグリップ部の本体部側に配された前記流路を閉塞可能なバルブコック部と、
前記散水ヘッド部の管路に連通する流路の途中に設けられ、前記散水ヘッド部の噴射口からの噴射方向を前記流路に対して変更するヘッド角度変更手段とを備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変位可能なレバー部とを備えたことを特徴とする散水ノズル用グリップ。
【請求項３】
先端部に散水ヘッド部を装着可能な内部に流路管を備えた本体部と、前記本体部の後端部に設けられ、給水手段からの水の取入れ口を介して前記流路管に連通して流路を構成する管路を内部に備えた片手持ちグリップ部とを備えた散水ノズル用グリップであって、
前記本体部には、前記片手持ちグリップ部を把持する一方の手と共に他方の手で前記本体部を支持可能な把持領域を含む長さを備え、
前記片手持ちグリップ部の本体部側に配された前記流路を閉塞可能なバルブコック部と、
前記散水ヘッド部の管路に連通する流路の途中に設けられ、前記散水ヘッド部の噴射口からの噴射方向を前記流路に対して変更するヘッド角度変更手段と、
前記片手持ちグリップ部と前記ヘッド角度変更手段との間の本体部外周に設けられ、前記他方の手で把持可能なサブグリップ部とを備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変位可能なレバー部とを備えたことを特徴とする散水ノズル用グリップ。
【請求項４】
先端部に散水ヘッド部を装着可能な内部に流路管を備えた本体部と、前記本体部の後端部に設けられ、給水手段からの水の取入れ口を介して前記流路管に連通して流路を構成する管路を内部に備えた片手持ちグリップ部とを備えた散水ノズル用グリップであって、
前記本体部には、前記片手持ちグリップ部を把持する一方の手と共に他方の手で前記本体部を支持可能な把持領域を含む長さを備え、
前記片手持ちグリップ部の本体部側に配された前記流路を閉塞可能なバルブコック部と、
前記散水ヘッド部の管路に連通する流路の途中に設けられ、前記散水ヘッド部の噴射口からの噴射方向を前記流路に対して変更するヘッド角度変更手段と、
前記片手持ちグリップ部と前記ヘッド角度変更手段との間の本体部外周に設けられ、前記他方の手で把持可能なサブグリップ部と、
前記片手持ちグリップ部の水の取入れ口に着脱可能に接続され、前記給水手段からの水を前記片手持ちグリップの水の取入れ口に供給しつつ前記給水手段からの水の一部を内部に予め貯留した泡発生剤と混合して一定量の混合液を前記片手持ちグリップの水の取入れ口に供給する泡発生容器とを備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変位可能なレバー部とを備えたことを特徴とする散水ノズル用グリップ。
【考案の詳細な説明】
【技術分野】
【０００１】
本考案は、例えば洗車の際や庭の草木等に散水する際に使用するノズルヘッドを先端部に装着可能な散水ノズル用グリップに関するものである。
【背景技術】
【０００２】
従来より、洗車を始め、三和土やコンクリート面の洗浄等の清掃作業や、庭の草木等の散水等の園芸作業に使用する散水ノズルとしては、水道の蛇口に一端部を連通して固定された散水ホースの他端部に配されて使用される。このような散水ノズルとしては、ホースの他端部を把持部に接続されたピストル（拳銃）タイプの散水ノズルが主流である（例えば、特許文献１参照）。
【０００３】
即ち、従来からの主流のピストルタイプの散水ノズルとしては、把持部の下端にホース連結部が設けられ、把持部の前面には散水流量のオン・オフ又は散水流量を調整可能な引き金（トリガー）式の把持レバーが設けられ、把持部の上部には、先端の銃口に相当する部分に散水ノズル口が設けられた銃身状のノズル保持部が設けられている。
【先行技術文献】
【特許文献】
【０００４】
【特許文献１】特開平９−９９２５７号公報
【考案の概要】
【考案が解決しようとする課題】
【０００５】
このようなピストルタイプの散水ノズルにおいては、洗車作業において、車の天井部分の汚れ等を洗い流す際には、作業者の腕を高く伸ばすか、作業者自体が高台に乗る必要があった。また、園芸の際の水やりや、高い位置からの散水についても、作業者の腕を高く伸ばすか、作業者自体が高台に乗る必要があった。
【０００６】
また、ピストルタイプの散水ノズルにおいては、作業者は、把持部を握った状態で、引き金式の把持レバーを引くことにより、ノズル保持部先端の散水ノズル口から水が放出される。この場合、把持レバーはスプリング等の弾性部材で把持力を弱めると、把持レバーが戻り、散水流量を低減させて、オフ状態となる。
【０００７】
弾性部材で戻り方向に力が働いている把持レバーを常に引いた状態を維持するには作業者への負担が大きくなる。そのため、把持レバーを一定の開状態に保持するストッパーを備えたものも存在するが、任意の散水流量を維持するものではなく、状況に応じて任意の散水量を維持する機構が望まれていた。
【０００８】
本考案は、作業者が腕を伸ばさずとも高位から散水可能であり、把持力を維持しなくても任意の散水流量を維持することができる散水ノズルヘッドを装着可能な散水ノズル用グリップ得ることを目的とする。
【課題を解決するための手段】
【０００９】
請求項１に記載された考案に係る散水ノズル用グリップは、先端部に散水ヘッド部を装着可能な内部に流路管を備えた本体部と、前記本体部の後端部に設けられ、給水手段からの水の取入れ口を介して前記流路管に連通して流路を構成する管路を内部に備えた片手持ちグリップ部とを備えた散水ノズル用グリップであって、
前記片手持ちグリップ部の本体部側に配された前記流路を閉塞可能なバルブコック部を備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変位可能なレバー部とを備えたことを特徴とするものである。
【００１０】
請求項２に記載された考案に係る散水ノズル用グリップは、先端部に散水ヘッド部を装着可能な内部に流路管を備えた本体部と、前記本体部の後端部に設けられ、給水手段からの水の取入れ口を介して前記流路管に連通して流路を構成する管路を内部に備えた片手持ちグリップ部とを備えた散水ノズル用グリップであって、
前記本体部には、前記片手持ちグリップ部を把持する一方の手と共に他方の手で前記本体部を支持可能な把持領域を含む長さを備え、
前記片手持ちグリップ部の本体部側に配された前記流路を閉塞可能なバルブコック部と、
前記散水ヘッド部の管路に連通する流路の途中に設けられ、前記散水ヘッド部の噴射口からの噴射方向を前記流路に対して変更するヘッド角度変更手段とを備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変位可能なレバー部とを備えたことを特徴とするものである。
【００１１】
請求項３に記載された考案に係る散水ノズル用グリップは、先端部に散水ヘッド部を装着可能な内部に流路管を備えた本体部と、前記本体部の後端部に設けられ、給水手段からの水の取入れ口を介して前記流路管に連通して流路を構成する管路を内部に備えた片手持ちグリップ部とを備えた散水ノズル用グリップであって、
前記本体部には、前記片手持ちグリップ部を把持する一方の手と共に他方の手で前記本体部を支持可能な把持領域を含む長さを備え、
前記片手持ちグリップ部の本体部側に配された前記流路を閉塞可能なバルブコック部と、
前記散水ヘッド部の管路に連通する流路の途中に設けられ、前記散水ヘッド部の噴射口からの噴射方向を前記流路に対して変更するヘッド角度変更手段と、
前記片手持ちグリップ部と前記ヘッド角度変更手段との間の本体部外周に設けられ、前記他方の手で把持可能なサブグリップ部とを備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変位可能なレバー部とを備えたことを特徴とするものである。
【００１２】
請求項４に記載された考案に係る散水ノズル用グリップは、先端部に散水ヘッド部を装着可能な内部に流路管を備えた本体部と、前記本体部の後端部に設けられ、給水手段からの水の取入れ口を介して前記流路管に連通して流路を構成する管路を内部に備えた片手持ちグリップ部とを備えた散水ノズル用グリップであって、
前記本体部には、前記片手持ちグリップ部を把持する一方の手と共に他方の手で前記本体部を支持可能な把持領域を含む長さを備え、
前記片手持ちグリップ部の本体部側に配された前記流路を閉塞可能なバルブコック部と、
前記散水ヘッド部の管路に連通する流路の途中に設けられ、前記散水ヘッド部の噴射口からの噴射方向を前記流路に対して変更するヘッド角度変更手段と、
前記片手持ちグリップ部と前記ヘッド角度変更手段との間の本体部外周に設けられ、前記他方の手で把持可能なサブグリップ部と、
前記片手持ちグリップ部の水の取入れ口に着脱可能に接続され、前記給水手段からの水を前記片手持ちグリップの水の取入れ口に供給しつつ前記給水手段からの水の一部を内部に予め貯留した泡発生剤と混合して一定量の混合液を前記片手持ちグリップの水の取入れ口に供給する泡発生容器とを備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変位可能なレバー部とを備えたことを特徴とするものである。
【考案の効果】
【００１３】
本考案は、把持力を維持しなくても任意の散水流量を維持することができ、更には、作業者が腕を伸ばさずとも高位から散水可能であるという効果がある。
【図面の簡単な説明】
【００１４】
【図１】散水ヘッド部を装着した本考案の散水ノズル用グリップの一実施例の構成を示す説明図であり、ａ図は全体図、ｂ図はグリップ部の拡大構成図、ｃ図は泡発生容器を接続した状態を示す説明図である。
【図２】図１の散水ノズルの片手持ちグリップ部の構成を示す説明図であり、ａ図は断面図、ｂ図はバルブコック部の分解図である。
【図３】図１のバルブコック部の動作状態を示す断面図であり、ａ図は閉塞時、ｂ図は半開放時、ｃ図は全開放時の状態を示す。
【図４】図１の散水ノズルの散水ヘッド部の構成を示す説明図であり、ａ図は散水ヘッド部とヘッド角度変更手段との説明図、ｂ図は散水ヘッド部の先端面の拡大図である。
【考案を実施するための形態】
【００１５】
本考案においては、先端部に散水ヘッド部を装着可能な内部に流路管を備えた本体部と、本体部の後端部に設けられ、給水手段からの水の取入れ口を介して流路管に連通して流路を構成する管路を内部に備えた片手持ちグリップ部とを備えた散水ノズル用グリップであって、片手持ちグリップ部の本体部側に配された流路を閉塞可能なバルブコック部を備え、バルブコック部が、回転位置によって流路に対する閉塞状態と開放状態との間で変位可能な円筒体の一部を切欠いた回転弁体と、回転弁体を片手持ちグリップ部を把持する一方の手の指で任意の回転位置に変位可能なレバー部とを備える。これにより、把持力を維持しなくても任意の散水流量を維持することができる。即ち、本考案の散水ノズル用グリップとしては、片手持ちグリップ部の本体部側に配された流路を閉塞可能なバルブコック部によって、把持力を維持しなくても任意の散水流量を維持することができる。
【００１６】
また、別の考案においては、本体部には、片手持ちグリップ部を把持する一方の手と共に他方の手で本体部を支持可能な把持領域を含む長さを備え、片手持ちグリップ部の本体部側に配された流路を閉塞可能なバルブコック部と、散水ヘッド部の管路に連通する流路の途中に設けられ、散水ヘッド部の噴射口からの噴射方向を流路に対して変更するヘッド角度変更手段とを備え、バルブコック部が、回転位置によって流路に対する閉塞状態と開放状態との間で変位可能な円筒体の一部を切欠いた回転弁体と、回転弁体を片手持ちグリップ部を把持する一方の手の指で任意の回転位置に変位可能なレバー部とを備える。これにより、把持力を維持しなくても任意の散水流量を維持することができるだけで無く、本体部が片手持ちグリップ部を把持する一方の手と共に他方の手で本体部を支持可能な把持領域を含む長さを備えることにより、作業者が腕を伸ばさずとも高位から散水可能である。
【００１７】
本考案のバルブコック部としては、回転位置によって流路に対する閉塞状態と開放状態との間で変位可能な円筒体の一部を切欠いた回転弁体と、回転弁体を片手持ちグリップ部を把持する一方の手の指で任意の回転位置に変位可能なレバー部とを備えることにより、片手持ちグリップ部を把持する手の指でレバー部を操作して回転弁体を任意の回転位置に変位だけで、任意の散水流量に調整でき、把持力を維持しなくてもその水量を維持することができる。
【００１８】
より具体的なバルブコック部としては、本体部側の流路に連通する部分に貫通孔を形成し、円筒体の一部を切欠いた回転弁体がこの貫通孔の全てを閉塞する閉塞部を備え、回転弁体を回転移動することにより、回転弁体の閉塞部が貫通孔全体を閉塞する回転位置から貫通孔の一部を閉塞する回転位置を経て、貫通孔の全体を閉塞しない回転位置まで回転移動させることにより、閉塞状態から半開放状態を経て全開放状態となる。即ち、回転弁体の回転角度に応じて貫通孔の開度が変更できる。
【００１９】
尚、回転弁体に対して流れる水の流速は回転弁体を回動させる力が無いため、任意の回転位置はそのままの状態が維持される。このため、作業者は片手持ちグリップ部を把持する手の指で回転弁体を任意の回転位置に変更させた状態が維持されるため、一定の流量を維持させる力は必要なく、散水時の作業者の負担はピストルタイプの散水ノズルに比べて圧倒的に少ない。
【００２０】
また、他のバルブコック部としては、円筒体の一部を切欠いた回転弁体の対向する側面同士を連通する連通孔を形成させ、回転弁体を回転移動するものも挙げられる。即ち、回転弁体の連通孔を対向するグリッド部側流路とヘッド部側流路に対して、閉塞する回転位置から一部を閉塞する回転位置を経て、貫通孔の全体が対向する流路に全開となる回転位置まで回転移動させることにより、閉塞状態から半開放状態を経て全開放状態となる。
【００２１】
本考案の散水ノズル用グリップの本体部としては、片手持ちグリップ部と装着される散水ヘッド部とは直線上に配置されるようにしてもよく、湾曲させて配置されるようにしてもよい。また、本体部は、手持ちグリップ部を把持する一方の手と共に他方の手で本体部を支持可能な把持領域を含む長さを備えるものであればよく、好ましくは、散水ヘッド部を含めた散水ノズルの全長が３００〜１５００ｍｍの範囲にあればよく、より好ましくは、４００〜１２００ｍｍの範囲にあればよい。
【００２２】
全長を３００ｍｍ未満にすると、ピストルタイプの散水ノズルと同じように高所への散水の際には、作業者の腕を伸ばさなければならなくなり、１５００ｍｍを超えると、取り回しがし難くなるためである。また、片手持ちグリップ部と装着される散水ヘッド部との間に入れ子式で伸縮するパイプ等で流路を配置させて、長さを変更させるようにしてもよい。
【００２３】
本考案の散水ノズル用グリップに装着される散水ヘッド部については、本体部に対して一定の角度で散水するのではなく、任意の角度で散水することで種々の場面での作業性が向上する。そのため、散水ヘッド部の管路に連通する流路の途中に散水ヘッド部の噴射口からの噴射方向を流路に対して変更するヘッド角度変更手段を設け、散水ヘッド部の噴射方向を流路に対して変更可能とすることが望ましい。
【００２４】
尚、本考案の散水ノズル用グリップに装着される散水ヘッド部については、一種類の噴射水形を噴射するノズル噴射口を備えた散水ヘッド部でも、ノズル噴射口を絞り込むことにより数種類の噴射水形を噴射するノズルの散水ヘッド部や、数種類の噴射水形を噴射する多数のノズル噴射口を切換える散水ヘッド部を装着してもよい。
【００２５】
本体部が長く、装着された散水ヘッド部の噴射口からの水の噴射が本体部（流路）に対して角度をもたせた場合には、水圧に応じて本体部に対して散水ヘッド部の水の噴射の反対方向への反動が生じ、片手持ちグリップ部のみでの把持だけの散水では作業者の負担が大きくなる。このため、好ましくは、片手持ちグリップ部とヘッド角度変更手段との間の本体部外周に他方の手で把持可能なサブグリップ部を設ける。作業者は、一方の手で片手持ちグリップ部を把持し、他方の手でサブグリップ部を把持することにより、本体部を安定支持した状態で噴射方向を正確に噴射させたい箇所に向けて散水することができる。
【００２６】
本考案の散水ノズル用グリップに散水ヘッド部を装着した散水ノズルにおいては、洗車に使用することも頻繁に行われることを想定している。洗車においては、水道水で埃や泥を水の勢いで落とした上で、洗浄作用のある泡を車体に吹き付け、車体上の汚れを浮かす作業が行われる。その際に泡発生容器を片手持ちグリップ部に取付けることで洗車を効率的に行うことができる。
【００２７】
即ち、好ましくは、片手持ちグリップ部の水の取入れ口に着脱可能に接続され、給水手段からの水を片手持ちグリップの水の取入れ口に供給しつつ給水手段からの水の一部を内部に予め貯留した泡発生剤と混合して一定量の混合液を片手持ちグリップの水の取入れ口に供給する泡発生容器を備えればよい。
【実施例】
【００２８】
図１は散水ヘッド部を装着した本考案の散水ノズル用グリップの一実施例の構成を示す説明図であり、ａ図は全体図、ｂ図はグリップ部の拡大構成図、ｃ図は泡発生容器を接続した状態を示す説明図である。図２は図１の散水ノズルの片手持ちグリップ部の構成を示す説明図であり、ａ図は断面図、ｂ図はバルブコック部の分解図である。
【００２９】
図３は図１のバルブコック部の動作状態を示す断面図であり、ａ図は閉塞時、ｂ図は半開放時、ｃ図は全開放時の状態を示す。図４は図１の散水ノズルの散水ヘッド部の構成を示す説明図であり、ａ図は散水ヘッド部とヘッド角度変更手段との説明図、ｂ図は散水ヘッド部の先端面の拡大図である。
【００３０】
図１〜図４に示す通り、本実施例の散水ノズルは、金属製パイプからなる流路管を備えた本体部１０と、この本体部の後端部に設けられ、水道水等の給水手段からの水をホース２２及びコネクター２１を介して取入れ口であるホース連結部１９を備えた中空状の片手持ちグリップ部１１と、本体部１０の先端部に装着された散水ヘッド部１２とを備える。
【００３１】
片手持ちグリップ部１１のホース連結部１９から中空の管路１３Ｇを介して、本体部１０の流路管１３に連通し、更に、流路管１３から装着された散水ヘッド部１２内の管路を介して噴出口であるノズル口３１、３２、３３、３４、３５、３６、３７、３８に到達する流路が形成される。
【００３２】
本体部１０としては、７６０ｍｍ程度であり、片手持ちグリップ部１１を把持する一方の手と共に他方の手で本体部１０を把持可能な長さである。散水ヘッド部１２に連通する流路の途中に設けれた散水ヘッド部１２の噴射方向を本体部１０である金属製パイプに対して変更するヘッド角度変更手段１４を備える。
【００３３】
片手持ちグリップ部１１とヘッド角度変更手段１４との間の本体部１０に設けられた片手持ちグリップ部１１を把持する一方の手と共に他方の手で把持するサブグリップ部１５を備える。即ち、本体部１０が長く、散水ヘッド部１２からの水の噴射が本体部１０に対して角度をもたせた場合には、水圧に応じて本体部１０に対して散水ヘッド部１２の水の噴射の反対方向への反動が生じ、片手持ちグリップ部１１のみでの把持だけの散水では作業者の負担が大きくなる。
【００３４】
このため、好ましくは、片手持ちグリップ部１１とヘッド角度変更手段１４との間の本体部１０にサブグリップ部１５を設ける。作業者は、一方の手で片手持ちグリップ部１１を把持し、他方の手でサブグリップ部１５を把持することにより、噴射方向を正確に噴射させたい箇所に向けた状態を維持しながら散水することができる。
【００３５】
片手持ちグリップ部１１の散水ヘッド部１２側の流路管１３への流路を閉塞可能なバルブコック部１６を備える。このバルブコック部１６としては、回転位置によって流路に対する閉塞状態と開放状態との間で変位可能な円筒体の一部を切欠いた回転弁体１７と、回転弁体１７を片手持ちグリップ部１１を把持する一方の手の指で任意の回転位置に変位可能なレバー部１８とを備える。
【００３６】
図２のａ図及びｂ図に示す通り、具体的なバルブコック部１６としては、バルブコック部内の管路１３Ｇから散水ヘッド部１２側の流路管１３に連通する部分に貫通孔２３を形成し、円筒体の一部を切欠いて残った回転弁体１７の閉塞部２４がこの貫通孔２３の一部又は全てを閉塞する。回転弁体１７を回転移動する。図３に示す通り、回転弁体１７の閉塞部２４が貫通孔２３全体を閉塞するａ図の回転位置から、貫通孔２３の一部を閉塞するｂ図の回転位置を経て、貫通孔２３の全体を閉塞しないｃ図の回転位置まで回転移動させることにより、閉塞状態から半開放状態を経て全開放状態となる。
【００３７】
この場合、回転弁体１７に対して流れる水の流速は回転弁体１７を回動させる力が無いため、任意の回転位置はそのままの状態となる。このため、作業者は片手持ちグリップ部１１を把持する手の親指で回転弁体１７を任意の回転位置に変更させた状態が維持されるため、一定の流量を維持させる力は必要なく、散水時の作業者の負担はピストルタイプの散水ノズルに比べて圧倒的に少ない。
【００３８】
また、図１のｃ図に示す通り、片手持ちグリップ部１１のホース連結部１９に接続し、給水手段からの水の供給手段としてのコネクター２１との間に泡発生容器２０を配している。即ち、洗車においては、水道水で埃や泥を水の勢いで落とした上で、洗浄作用のある泡を車体に吹き付け、車体上の汚れを浮かす作業が行われる。その際に泡発生容器２０を片手持ちグリップ部１１に取付けることで洗車を効率的に行うことができる。
【００３９】
泡発生容器２０は、片手持ちグリップ部１１のホース連結部１９に水道水からの水を供給しつつ水を内部に予め貯留した泡発生剤と混合させて、一定量の混合液を片手持ちグリップ部１１のホース連結部１９に供給するものであればよく、ホース連結部１９及びコネクター２１とを各々に合致させた市販のものを使用することができる。
【００４０】
図４のａ図に示す通り、ヘッド角度変更手段１４は、片手持ちグリップ部１１の本体部１１の流路管１３に連通された管路１３Ｈを備えた扁平状の半球体と、散水ヘッド部１２側の管路に連通された管路Ｆを備えた扁平状の半球体とを互いに回動可能に合わせた構成である。特に、個々の扁平状の半球体に連通される管路１３Ｈ、１３Ｆの接続方向が半球体同士の回動軸に対して扁平な方向に連通され、半球体と管路１３Ｈとの組み合わせが、鏡面対称ではなく、回動軸の中心に対して、点対称に配置されている。
【００４１】
これにより、ヘッド角度変更手段１４の流入流路の管路１３Ｈと流出流路の管路１３Ｆとがいかなる角度になっても、ヘッド角度変更手段１４に流入する流路からヘッド度変更手段から流出する流路への流れが螺旋状に流れることとなり、滞り部分がないために水撃がなく、滑らかな流れとなる。
【００４２】
また、本実施例の散水ノズル用グリップに装着された散水ヘッド部１２のノズルヘッドは、８種類のノズル噴射口によって、８種類の水形の切替えができる。即ち、先端面には８種類のノズル口が搭載されたノズルヘッドを回動して一つのノズルに管路に連通させて、噴射させる。ノズルヘッドを回して水形の変更が可能であり、回すのは右周り左回りどちらでも可能であり、通水時でも切り替えが可能である。
【００４３】
水形としては、図４のｂ図に示す通り、次のノズル口が配されている。即ち、ストリームノズル口３１は、高圧洗浄に負けない水圧で直線状の水流でピンポイントに汚れを落とすことができる。ミストノズル口３２は、細かい噴霧で空気中の水分を補給することができる。バーティカルノズル口３３は、縦に広がる扇状の水流で高さのある壁や車の側面などに好適である。
【００４４】
フラットノズル口３４は、横に広がる扇状で水流でガーデニングなどの広範囲の散水に好適である。フルノズル口３５は、最も太い噴射孔であり、一度に大量の水が必要なときに好適である。シャワーノズル口３６は、周囲の多数の細かい噴射口からの噴射であり、花・草木の水やりやペットのシャンプー等に好適である。センターノズル口３７は、広がりのある数本の噴射水が噴射され、夏の散水や冬の解氷等、季節を問わず活躍する。コーンノズル口３８は、コーン状の噴射流であり、窓や玄関周りなどの広範囲を掃除に好適である。
【００４５】
図１のａ図に示す本実施例の散水ノズルでは、水道水の蛇口に一端部を連通して固定したホース２２の他端部に装着されたコネクター２１を片手持ちグリップ部１１のホース連結部１９に差し入れて装着する。バルブコック部１６が閉塞されて止水状態となっていることを確認した上で、水道水の蛇口を開く。
【００４６】
バルブコック部１６のレバー部１８を少し開いた状態とすると、回転弁体１７の閉塞部２４が片手持ちグリップ部１１の本体部１０側の貫通孔２３を閉塞していた状態から回動して貫通孔２３が少し開く。ホース２２内から水道水がホース連結部１９を介して、バルブコック部１６の管路１３Ｇから回転弁体１７、貫通孔２３を通過して、本体部１０の流通管１３に至る。
【００４７】
更に流通管１３から管路１３Ｈを介してヘッド角度変更手段１４の内部を通過して管路１３Ｆから散水ヘッド部１２の管路を通ってノズルヘッドの８種類のうちの一つのノズル口３１、３２、３３、３４、３５、３６、３７、３８から噴射される。ホース内に空気がある場合には、最初に水道水と共に噴射される。水道水のみの噴射となったことを確認してバルブコック部のレバー部１８を全開とする。
【００４８】
本実施例の散水ノズルは、全長が長く、装着された散水ヘッド部１２のノズル口からの水の噴射が本体部１０に対して角度をもたせた場合には、水圧に応じて本体部１０に対して散水ヘッド部１２の水の噴射の反対方向への反動が生じる。このため、作業者は、一方の手で片手持ちグリップ部１１を把持し、他方の手でサブグリップ部１５を把持することにより、本体部を安定支持した状態で噴射方向を正確に噴射させたい箇所に向けて散水することができる。
【００４９】
また、作業者は片手持ちグリップ部１１を把持する手の親指でレバー部１８を操作できるため、回転弁体１７を任意の回転位置に変更させた状態が維持される。このため、一定の流量を維持させる力は必要なく、散水時の作業者の負担はピストルタイプの散水ノズルに比べて圧倒的に少ない利点を奏する。
【符号の説明】
【００５０】
１０…本体部、
１１…片手持ちグリップ部、
１２…散水ヘッド部、
１３…流路管、
１３Ｇ…管路、
１３Ｈ…管路、
１３Ｆ…管路、
１４…ヘッド角度変更手段、
１５…サブグリップ部、
１６…バルブコック部、
１７…回転弁体、
１８…レバー部、
１９…ホース連結部、
２０…泡発生容器、
２１…コネクター、
２２…ホース、
２３…貫通孔、
２４…閉塞部、
３１…ストリームノズル口、
３２…ミストノズル口、
３３…バーティカルノズル口、
３４…フラットノズル口、
３５…フルノズル口、
３６…シャワーノズル口、
３７…センターノズル口、
３８…コーンノズル口、
【図１】
0003228793.tif 000003
【図２】
0003228793.tif 000004
【図３】
0003228793.tif 000005
【図４】
0003228793.tif 000006